(57)【要約】【課題】刻印情報に誤りのある画像が記録されることを防止可能な画像記録システムを提供する【解決手段】画像記録システムは、携帯機器が工事部位に固定された設置型情報記録媒体から工事部位を特定する工事部位ＩＤを読み取ったとき（Ｓ１０２）から携帯機器が工事部位を撮影したとき（Ｓ１０３）までの経過時間が基準時間内であるか否かを判定し（Ｓ１０５）、前記経過時間が基準時間内であると判定された場合（Ｓ１０５でＹＥＳ）、工事部位ＩＤと工事部位に関する情報とが関連付けられたテーブルの中から、携帯機器が読み取った情報に一致する工事部位ＩＤを検索し（Ｓ１０８）、該検索したＩＤに関連付けられている工事部位に関する情報を携帯機器が撮影した画像に刻印し（Ｓ１０９）、情報が刻印された画像を記憶する（Ｓ１１０）。【選択図】図７
2010053573.tif 000002
【特許請求の範囲】
【請求項１】
撮影対象物に固定または近接して配置され、前記撮影対象物を特定する情報が記憶された設置型情報記録媒体、及び前記撮影対象物を撮影し、前記設置型情報記録媒体から前記撮影対象物を特定する情報を読み取ることが可能な携帯機器を備えた画像記録システムであって、
前記携帯機器により撮影が行われた画像が、前記携帯機器により前記設置型情報記録媒体から読み取られた情報が特定する撮影対象物を撮影したものであるか否かを判定する判定手段と、
前記撮影対象物を特定する情報と前記撮影対象物に関する情報とを関連付けて記憶する情報記憶手段と、
前記判定手段によって、前記携帯機器により撮影が行われた画像が、前記携帯機器により前記設置型情報記録媒体から読み取られた情報が特定する撮影対象物を撮影したものであると判定された場合、前記情報記憶手段に記憶された前記撮影対象物を特定する情報のうち、前記携帯機器が読み取った前記撮影対象物を特定する情報に一致する情報を検索するとともに、該検索した情報に関連付けられている前記撮影対象物に関する情報を前記携帯機器が撮影した画像に刻印する刻印手段と、
前記刻印手段によって情報が刻印された画像を記憶する画像記憶手段とを有することを特徴とする画像記録システム。
【請求項２】
前記判定手段は、前記携帯機器が前記設置型情報記録媒体から情報を読み取ったときから前記携帯機器が撮影を行うまでの経過時間が所定時間内であるか否かを判定することによって、前記携帯機器により撮影が行われた画像が、前記携帯機器により前記設置型情報記録媒体から読み取られた情報が特定する撮影対象物を撮影したものであるか否かを判定することを特徴とする請求項１に記載の画像記録システム。
【請求項３】
前記判定手段は、前記携帯機器が撮影を行う前後で、前記携帯機器が前記設置型情報記録媒体から読み取った情報が一致するか否かを判定することによって、前記携帯機器により撮影が行われた画像が、前記携帯機器により前記設置型情報記録媒体から読み取られた情報が特定する撮影対象物を撮影したものであるか否かを判定することを特徴とする請求項１に記載の画像記録システム。
【請求項４】
前記携帯機器と無線通信を介して接続されたサーバをさらに備えた請求項１に記載の画像記録システムであって、
前記携帯機器は、前記判定手段を構成すべく、前記携帯機器により撮影が行われた画像が、前記携帯機器により前記設置型情報記録媒体から読み取られた情報が特定する撮影対象物を撮影したものであるか否かを判定するとともに、前記画像が、前記情報が特定する撮影対象物を撮影したものであると判定した場合に、前記撮影対象物を特定する情報と撮影した画像とを無線通信を介して前記サーバに送信し、
前記サーバは、前記情報記憶手段を構成すべく、前記撮影対象物を特定する情報と前記撮影対象物に関する情報とを関連付けて記憶し、さらに前記刻印手段を構成すべく、前記情報記憶手段に記憶された前記撮影対象物を特定する情報のうち、前記携帯機器から受信した前記撮影対象物を特定する情報に一致する情報を検索し、検索した情報に関連付けられた前記撮影対象物に関する情報を前記携帯機器から受信した画像に刻印し、さらに前記画像記憶手段を構成すべく、前記作業内容を示す情報が刻印された画像を記憶することを特徴とする画像記録システム。
【請求項５】
請求項１に記載の画像記録システムであって、
前記携帯機器は、前記判定手段を構成すべく、前記携帯機器により撮影が行われた画像が、前記携帯機器により前記設置型情報記録媒体から読み取られた情報が特定する撮影対象物を撮影したものであるか否かを判定し、前記情報記憶手段を構成すべく、前記撮影対象物を特定する情報と前記撮影対象物に関する情報とを関連付けて記憶し、前記刻印手段を構成すべく、前記判定手段によって前記画像が前記情報が特定する撮影対象物を撮影したものであると判定された場合、前記情報記憶手段に記憶された前記撮影対象物を特定する情報のうち、前記携帯機器が読み取った前記撮影対象物を特定する情報に一致する情報を検索するとともに、検索した情報に関連付けられている前記撮影対象物に関する情報を前記携帯機器が撮影した画像に刻印し、前記画像記憶手段を構成すべく、前記刻印手段によって情報が刻印された画像を記憶することを特徴とする画像記録システム。
【請求項６】
前記携帯機器は、前記撮影対象物を撮影する携帯型撮影機器と、前記設置型情報記録媒体から前記撮影対象物を特定する情報を読み取ることが可能な携帯型リーダ機器とから構成されていることを特徴とする請求項１ないし５に記載の画像記録システム。
【請求項７】
前記携帯機器の所持者を特定する情報が記憶された携帯型情報記録媒体をさらに備え、前記設置型情報記録媒体には前記撮影対象物としての工事部位を特定する情報が記憶され、前記携帯機器が、前記設置型情報記録媒体及び前記携帯型情報記録媒体のそれぞれから情報を読み取ることが可能な請求項１に記載の画像記録システムであって、
前記情報記憶手段は、前記工事部位を特定する情報と、前記工事部位に対する作業内容を示す情報と、前記工事部位に対する作業を行う作業者を特定する情報とを互いに関連付けて記憶し、
前記刻印手段は、前記情報記憶手段に記憶された前記工事部位を特定する情報及び前記作業者を特定する情報のうち、前記携帯機器が読み取った前記工事部位を特定する情報及び前記所持者を特定する情報に一致する情報を検索するとともに、検索した情報に関連付けられた前記作業内容を示す情報を前記携帯型撮影機器が撮影した画像に刻印することを特徴とする画像記録システム。
【請求項８】
撮影対象物に固定または近接して配置され、前記撮影対象物を特定する情報が記憶された設置型情報記録媒体、及び前記撮影対象物を撮影し、前記設置型情報記録媒体から前記撮影対象物を特定する情報を読み取ることが可能な携帯機器を用いた画像記録方法であって、
前記携帯機器により撮影が行われた画像が、前記携帯機器により前記設置型情報記録媒体から読み取られた情報が特定する撮影対象物を撮影したものであるか否かを判定する判定ステップと、
前記判定ステップで前記画像が前記情報が特定する撮影対象物を撮影したものであると判定された場合、前記撮影対象物を特定する情報と前記撮影対象物に関する情報とが関連付けられたテーブルの中から、前記携帯機器が読み取った情報に一致する前記撮影対象物を特定する情報を検索するとともに、該検索した情報に関連付けられている前記撮影対象物に関する情報を前記携帯機器が撮影した画像に刻印する刻印ステップと、
前記刻印ステップで情報が刻印された画像を記憶する画像記憶ステップとを有することを特徴とする画像記録方法。
【請求項９】
前記判定ステップでは、前記携帯機器が前記設置型情報記録媒体から情報を読み取ったときから前記携帯機器が撮影を行うまでの経過時間が所定時間内であるか否かを判定することによって、前記携帯機器により撮影が行われた画像が、前記携帯機器により前記設置型情報記録媒体から読み取られた情報が特定する撮影対象物を撮影したものであるか否かを判定することを特徴とする請求項８に記載の画像記録方法。
【請求項１０】
前記判定ステップでは、前記携帯機器が撮影を行う前後で、前記携帯機器が前記設置型情報記録媒体から読み取った情報が一致するか否かを判定することによって、前記携帯機器により撮影が行われた画像が、前記携帯機器により前記設置型情報記録媒体から読み取られた情報が特定する撮影対象物を撮影したものであるか否かを判定することを特徴とする請求項８に記載の画像記録方法。
【請求項１１】
携帯機器の所持者を特定する情報が記憶された携帯型情報記録媒体をさらに用い、前記設置型情報記録媒体には前記撮影対象物としての工事部位を特定する情報が記憶され、前記携帯機器が、前記設置型情報記録媒体及び前記携帯型情報記録媒体から、それぞれ前記所持者を特定する情報及び前記工事部位を特定する情報を読み取ることが可能な請求項８に記載の画像記録方法であって、
前記刻印ステップでは、前記工事部位を特定する情報と、前記工事部位に対する作業内容を示す情報と、前記工事部位に対する作業を行う作業者を特定する情報とが互いに関連付けられたテーブルの中から、前記携帯機器が読み取った情報に一致する前記作業者を特定する情報及び前記作業内容を示す情報を検索するとともに、検索した情報に関連付けられた前記作業内容を示す情報を前記携帯機器が撮影した前記工事部位の画像に刻印することを特徴とする画像記録方法。
【発明の詳細な説明】
【技術分野】
【０００１】
本発明は、画像記録システムに関する。より詳しくは、携帯機器によって撮影された画像を記録するための画像記録システム及び画像記録方法に関する。
【背景技術】
【０００２】
建築工事や土木工事が実施される際には、工事の品質確認や実施確認のために、デジタルカメラやスチールカメラによって工事の状況を撮影した工事写真を工事発注者に提出することが行われている。工事写真を撮影する際には、いつ、誰が、どのような工事を行ったのかを証拠として残すために、施工日付、施工業者、工事内容などを記した黒板を工事写真に写し込むことが行われている。
【０００３】
また工事写真の整理や工事進捗管理を容易にすることなどを目的として、特許文献１〜４には、工程データや設計図面データなど工事に関する情報を、工事写真データに刻印したり、或いは工事写真データと関連付けて保存することが開示されている。そのうち特許文献１では、携帯電話器などの携帯機器によって、建材の撮影を行うとともに、ＩＣタグに記憶された建材に関する情報を読み取って撮影画像に刻印することが開示されている。
【０００４】
【特許文献１】特開２００５−２９３０５１号公報
【特許文献２】特開２００７−１６４７４１号公報
【特許文献３】特開２００１−３４９０５９号公報
【特許文献４】特開２００２−２８８２７２号公報
【発明の開示】
【発明が解決しようとする課題】
【０００５】
ところで上述のように黒板を用いる場合には、故意或いは過失で黒板に虚偽の内容が記載された状態で撮影が行われることで、誤った情報が撮影画像に刻印される虞れがある。また写真撮影のために、「黒板を持つ人」と「写真を撮影する人」の２人が必要となるため、施工作業が頻繁に中断し得る。
【０００６】
また特許文献１では、画像に刻印される情報の改ざん防止を図るべく、情報の情報記録媒体としてＩＣタグを用いているが、建材の撮影とＩＣタグの読み取りとを携帯機器によって行っていることに起因して、画像の捏造が行われる虞れがある。すなわち、携帯機器の所持者が、第１の建材に付されたＩＣタグの読み取りを行ってから別の場所に移動して第２の建材の撮影を行なった場合、画像中に映し出された建材は第２の建材であるにも関わらず、画像中に刻印された情報は第１の建材に関するものとなる。この結果、画像中に映し出された第２の建材は、第１の建材であると誤って認識される。
【０００７】
本発明はこうした状況に鑑みてなされたものであり、その目的は、携帯機器によって撮影された画像を記録するための画像記録システム及び画像記録方法であって、刻印情報に誤りのある画像が記録されることを防止可能な画像記録システム及び画像記録方法を提供することである。
【課題を解決するための手段】
【０００８】
上記目的を達成するため、本発明の第１の観点に係る画像記録システムは、撮影対象物に固定または近接して配置され、前記撮影対象物を特定する情報が記憶された設置型情報記録媒体、及び前記撮影対象物を撮影し、前記設置型情報記録媒体から前記撮影対象物を特定する情報を読み取ることが可能な携帯機器を備えた画像記録システムであって、
前記携帯機器により撮影が行われた画像が、前記携帯機器により前記設置型情報記録媒体から読み取られた情報が特定する撮影対象物を撮影したものであるか否かを判定する判定手段と、前記撮影対象物を特定する情報と前記撮影対象物に関する情報とを関連付けて記憶する情報記憶手段と、前記判定手段によって、前記携帯機器により撮影が行われた画像が、前記携帯機器により前記設置型情報記録媒体から読み取られた情報が特定する撮影対象物を撮影したものであると判定された場合、前記情報記憶手段に記憶された前記撮影対象物を特定する情報のうち、前記携帯機器が読み取った前記撮影対象物を特定する情報に一致する情報を検索するとともに、該検索した情報に関連付けられている前記撮影対象物に関する情報を前記携帯機器が撮影した画像に刻印する刻印手段と、前記刻印手段によって情報が刻印された画像を記憶する画像記憶手段とを有することを特徴とする。
【０００９】
また、本発明の第２の観点に係る画像記録方法は、撮影対象物に固定または近接して配置され、前記撮影対象物を特定する情報が記憶された設置型情報記録媒体、及び前記撮影対象物を撮影し、前記設置型情報記録媒体から前記撮影対象物を特定する情報を読み取ることが可能な携帯機器を用いた画像記録方法であって、前記携帯機器により撮影が行われた画像が、前記携帯機器により前記設置型情報記録媒体から読み取られた情報が特定する撮影対象物を撮影したものであるか否かを判定する判定ステップと、前記判定ステップで前記画像が前記情報が特定する撮影対象物を撮影したものであると判定された場合、前記撮影対象物を特定する情報と前記撮影対象物に関する情報とが関連付けられたテーブルの中から、前記携帯機器が読み取った情報に一致する前記撮影対象物を特定する情報を検索するとともに、該検索した情報に関連付けられている前記撮影対象物に関する情報を前記携帯機器が撮影した画像に刻印する刻印ステップと、前記刻印ステップで情報が刻印された画像を記憶する画像記憶ステップとを有することを特徴とする。
【発明の効果】
【００１０】
本発明によれば、前記携帯機器による撮影画像が、前記携帯機器により前記設置型情報記録媒体から読み取られた情報が特定する撮影対象物を撮影したものでない場合には、前記撮影画像は、画像記憶手段に記憶されることがない。よって、前記画像記憶手段に記憶される画像は、前記読み取られた情報が特定する工事部位が撮影されたものとなる。そして、前記画像記憶手段に保管される画像には、前記読み取られた情報と前記情報記憶手段において関連付けられた撮影対象物に関する情報が刻印されることから、情報記憶手段における情報の関連付けが正確に行われることで、刻印情報に誤りがある画像が画像記憶手段に記憶されることが防止される。
【発明を実施するための最良の形態】
【００１１】
＜実施の形態１＞
以下、この発明の実施の形態１について図面を参照しながら詳細に説明する。なお、図中同一または相当部分には同一符号を付し、その説明は繰り返さない。図１は、実施の形態１における画像記録システム１の全体構成を示す図である。
【００１２】
画像記録システム１は、携帯機器２と、サーバ３と、携帯型情報記録媒体４と、設置型情報記録媒体５とを含んでいる。携帯機器２と携帯型情報記録媒体４とは工事現場で作業を行う作業者によって所持され、サーバ３は工事現場から離れて位置する事務所に配置され、設置型情報記録媒体５は工事現場における工事部位毎に設けられて、それぞれ対応する工事部位に固定されている。
【００１３】
携帯型情報記録媒体４は、ＲＦＩＤ（Radio Frequency Identification）タグによって構成され、携帯型情報記録媒体４には、作業者を特定する作業者ＩＤ１２が書き込まれている。
【００１４】
各設置型情報記録媒体５は、携帯型情報記録媒体４と同様にＲＦＩＤタグによって構成され、各設置型情報記録媒体５には、それぞれ対応する工事部位を特定する工事部位ＩＤ１４が書き込まれている。
【００１５】
図２は、建造物の基礎部分８に固定された設置型情報記録媒体５を示しており、図２に示す設置型情報記録媒体５には、基礎部分８を特定する工事部位ＩＤ１４が記憶されている。
【００１６】
携帯機器２は、別体である携帯型撮影機器６と携帯型リーダ機器７とから構成されている。
【００１７】
携帯型撮影機器６は、工事部位を撮影するために作業者に所持されるものであって、デジタルカメラ、デジタルカメラ機能付き携帯電話機によって構成され、Bluetoothや赤外線などの無線通信或いはメモリ媒体により、撮影した画像を携帯型リーダ機器７に送信する。
【００１８】
図３は、携帯型撮影機器６が建設物の基礎部分８を撮影している状態を示している。携帯型撮影機器６は、テンキーなどの操作部１０を有しており、この操作部１０からの入力操作が行われることで、撮影したり、撮影した画像を携帯型リーダ機器７に送信する。
【００１９】
携帯型リーダ機器７は、ＩＣタグリーダ/ライタ、 ＩＣタグリーダ/ライタ付きＰＤＡ（Personal Digital Assistant）、 ＩＣタグリーダ/ライタ付き携帯電話機、ＩＣタグリーダ/ライタ付きＰＣ（PersonalComputer)によって構成され、携帯型情報記録媒体４や設置型情報記録媒体５に記憶されたデータを無線通信により読み込み、また無線通信によるインターネット接続を介してサーバ３にデータを送信する。
【００２０】
図４は、携帯型リーダ機器７が携帯型情報記録媒体４からデータを読み込んでいる状態を示し、図５は、携帯型リーダ機器７が設置型情報記録媒体５からデータを読み込んでいる状態を示している。携帯型リーダ機器７は、各種情報の表示が可能な表示面１１を有しており、表示面１１に設けられたタッチパネルから入力操作が行われることで、携帯型情報記録媒体４や設置型情報記録媒体５からデータを読み込んだり、サーバ３にデータを送信する。
【００２１】
サーバ３は、各種情報を記憶可能な記憶部（図示せず）を有しており、記憶部には、工事の工程を示すテーブル９が記憶されている。図６は、サーバ３に記憶されたテーブル９を示している。テーブル９には、工事現場の各工事部位を特定する工事部位ＩＤ１４と、各工事部位に対する作業内容１３と、各工事部位に対する作業を行う作業者を特定する作業者ＩＤ１２とが互いに関連付けられて書き込まれている。
【００２２】
次に図７を用いて本実施形態の画像記録システム１における処理の流れを説明する。
【００２３】
作業者は、工事現場に到着すると、図４に示すように携帯型リーダ機器７を携帯型情報記録媒体４に近づけた状態で携帯型リーダ機器７のタッチパネルの入力操作を行う。この入力操作により、携帯型リーダ機器７は、携帯型情報記録媒体４に記憶された作業者ＩＤ１２を読み込む（Ｓ１０１）。
【００２４】
次に、作業者は、工事作業に着手すると、図５に示すように携帯型リーダ機器７を設置型情報記録媒体５に近づけた状態でタッチパネルの入力操作を行う。この入力操作により、携帯型リーダ機器７は、設置型情報記録媒体５に記憶された工事部位ＩＤ１４を読み込む（Ｓ１０２）。
【００２５】
次に、作業者は、工事作業を終了したときに、図３に示すように携帯型撮影機器６のレンズを工事部位に向けた状態で操作部１０の入力操作を行う。この入力操作により、携帯型撮影機器６は、工事部位の画像を撮影し（Ｓ１０３）、さらに撮影した画像を携帯型リーダ機器７に送信する（Ｓ１０４）。
【００２６】
次に、携帯型リーダ機器７は、Ｓ１０２で工事部位ＩＤ１４を読み込んだ時刻Ｔ１からＳ１０３で携帯型撮影機器６が画像を撮影した時刻Ｔ２までの経過時間が、基準時間以内であるか否かを判定する（Ｓ１０５）。ここで基準時間は、携帯型リーダ機器７による工事部位ＩＤ１４の読み込み後に、作業者が別の場所に移動して、読み込んだ工事部位ＩＤ１４が特定する工事部位とは異なる工事部位の撮影を行うことが不可能な時間に設定されている。よって前記経過時間が基準時間以内である場合には、作業者は、工事部位ＩＤ１４の読み込みを行ってから別の場所に移動せずに撮影を行っているため、ステップＳ１０３で撮影された画像は、ステップＳ１０２で読み取られた工事部位ＩＤ１４が特定する工事部位を撮影したものであることが保証される。このことから、ステップＳ１０５で前記経過時間が基準時間以内であるか否かを判定することは、ステップＳ１０３で撮影された画像が、ステップＳ１０２で読み取られた工事部位ＩＤ１４が特定する工事部位を撮影したものであるか否かを判定していることになる。
【００２７】
そして前記経過時間が基準時間以内ではないと判定した場合（Ｓ１０５でＮＯ）、すなわちステップＳ１０３で撮影された画像がステップＳ１０２で読み取られた工事部位ＩＤ１４が特定する工事部位を撮影したものでない場合、携帯型リーダ機器７は、表示面１１（図４、５参照）にサーバ３に画像を送信することが出来ない旨のエラーメッセージを表示する（Ｓ１０６）。この後、携帯型リーダ機器７は、作業者によって工事部位ＩＤ１４の読み込み操作が行われるまで待機し、読み込み操作が行われた際にはＳ１０２に復帰して、工事部位ＩＤ１４を読み込む。
【００２８】
一方、Ｓ１０５で前記経過時間が基準時間以内であると判定した場合（Ｓ１０５でＹＥＳ）、すなわちＳ１０３で撮影された画像が、Ｓ１０２で読み取られた工事部位ＩＤ１４が特定する工事部位を撮影したものである場合、携帯型リーダ機器７は、Ｓ１０１で読み取った作業者ＩＤ１２と、Ｓ１０２で読み取った工事部位ＩＤ１４と、Ｓ１０４で携帯型撮影機器６から受信した画像とを、無線通信を介してサーバ３に送信する（Ｓ１０７）。
【００２９】
次に、サーバ３は、テーブル９（図６参照）に書き込まれた作業者ＩＤ１２と工事部位ＩＤ１４のうち、Ｓ１０７で携帯型リーダ機器７から受信した作業者ＩＤ１２及び工事部位ＩＤ１４に一致するＩＤを検索する（Ｓ１０８）。
【００３０】
次に、サーバ３は、Ｓ１０８で検索した作業者ＩＤ１２及び工事部位ＩＤ１４にテーブル９で関連付けられている作業内容１３を、携帯型リーダ機器７から受信した画像に刻印する（Ｓ１０９）。
【００３１】
図８は、作業内容１３が刻印された画像１８を示している。画像１８には、テーブル９で作業者「ＤＤ職長」を特定する作業者ＩＤ１２「Ａ０００２６」と工事部位１を特定する工事部位ＩＤ１４「ＫＳ−００３２１」とに関連付けられた「鉄骨柱建て方」が、作業内容として刻印されている。この「鉄骨柱建て方」は、工事現場で「ＤＤ職長」が工事部位１に対して撮影作業を行なうことで、Ｓ１０１で「ＤＤ職長」が所持する携帯型情報記録媒体４の作業者ＩＤ１２「Ａ０００２６」が読み取られ、さらにＳ１０２で工事部位１に固定された設置型情報記録媒体５の工事部位ＩＤ１４「ＫＳ−００３２１」が読み取られた結果、画像１８に刻印されたものである。
【００３２】
また図８に示す画像１８には、作業者名「ＤＤ職長」と、画像撮影日「２００８／２／２５」とが刻印されている。図７では、これらの情報を画像に刻印するための処理については図示を省略したが、作業者名「ＤＤ職長」は、Ｓ１０１で読み取られた作業者ＩＤ「Ａ０００２６」に対応する作業者名がテーブル９で検索されて刻印されたものであり、画像撮影日は、Ｓ１０３が実行された時刻Ｔ２（携帯型撮影機器６が画像を撮影した時刻）が刻印されたものである。なお画像には作業者名の代わりに作業者が属する組織が刻印されてもよい。この場合、サーバ３の記憶部には、作業者ＩＤ１２と作業者の属する組織の名称とが関連付けられたテーブルが記憶される。そして画像記録システム１の処理には、前記テーブルに書き込まれた作業者ＩＤ１２のうち、Ｓ１０１で読み取られた作業者ＩＤ１２と一致するＩＤを検索する処理と、検索した作業者ＩＤと前記テーブルで関連付けられた組織の名称を画像に刻印する処理とが追加される。
【００３３】
図７に戻り、Ｓ１０９が実行されると、サーバ３は、Ｓ１０９で作業内容１３が刻印された画像を記憶部における所定の領域に記憶する（Ｓ１１０）。これにより図７に示す処理は終了する。
【００３４】
本実施形態によれば、携帯型リーダ機器７による工事部位ＩＤ１４の読み込み後から携帯型撮影機器６による画像の撮影までの経過時間が基準時間を超えているか否かを判定することで、撮影画像が、工事部位ＩＤ１４が特定する工事部位を撮影したものであるか否かを判定し、撮影画像が、工事部位ＩＤ１４が特定する工事部位を撮影したものでない場合には、撮影画像と工事部位ＩＤ１４とは、サーバ３に送信されない。このため、作業者が工事部位の撮影と工事部位ＩＤ１４の読み込みとを別の場所で行うことにより、撮影画像が工事部位ＩＤ１４が特定する工事部位を撮影したものでない場合には、撮影画像は、サーバ３に保管されず、工事部位ＩＤ１４はサーバ３に送信されない。この結果、サーバ３に保管される画像は、これと共にサーバ３が受信した工事部位ＩＤ１４が特定する工事部位が撮影されたものとなる。そして、サーバ３に保管される画像には、サーバ３が受信した工事部位ＩＤ１４とテーブル９において関連付けられた作業内容が刻印されることから、テーブル９における情報の関連付けが正確に行われることで、刻印情報に誤りがある画像がサーバ３に保管されることが防止される。具体的には、サーバ３に保管された画像に刻印された作業内容１３は、その画像に映し出された工事部位に対して確実に実施されたものとなる。
【００３５】
また、作業員は、携帯型撮影機器６の撮影に要する作業と携帯型リーダ機器７のＩＤ読み込みに要する作業とを行うことで、作業内容１３などの工事部位に関する情報が刻印された画像を得ることができるため、該画像を得るために黒板を使用する必要がない。このため、一人の作業者による作業で、工事部位に関する情報が刻印された画像を得ることができる。
【００３６】
また、作業内容１３や撮影日時が画像に刻印されるために、工事写真の整理に要する手間が低減される。
【００３７】
また、情報記録媒体として情報の改ざんが困難であるＲＦＩＤタグが用いられていることから、画像に刻印される情報の改ざんを防止出来る。
【００３８】
また、サーバ３において、画像が記憶される記憶部の領域が複数の者によってアクセス可能に設定されることで、前記記憶部の領域に記憶された画像を前記複数の者によって監視することが出来るため、サーバ３に保管された画像の改ざんを防止できる。
【００３９】
また、工事監理者や設計者や工事発注者など工事に関する業務を行うあらゆる立場の者が前記記憶部の領域にアクセス可能な者に設定されることで、工事品質確認の高度化や、工程管理の合理化が図られる。
【００４０】
なお図７に示す処理では、Ｓ１０７で画像と作業者ＩＤ１２と工事部位ＩＤ１４とがまとめてサーバ３に送信されるが、作業者ＩＤ１２と工事部位ＩＤ１４とは、それらの読み込み処理が実行された直後（Ｓ１０１の直後、Ｓ１０２の直後）にサーバ３に送信されるようにしてもよい。この場合、サーバ３は、作業者ＩＤ１２や工事部位ＩＤ１４を携帯型リーダ機器７から受信するたびに、これらのＩＤと一致する作業者ＩＤ１２と工事部位ＩＤ１４とをテーブル９において検索する。そして、サーバ３は、携帯型リーダ機器７から画像を受信した後に、検索した作業者ＩＤ１２と工事部位ＩＤ１４とに関連付けられた作業内容１３を画像に刻印する。
【００４１】
また本実施形態では、設置型情報記録媒体５は、工事部位に固定されることとしたが、工事部位に近接して配置されてもよい。この場合においても、図７のＳ１０５に示す基準時間が調整されることで、工事部位ＩＤ１４の読み込み後に、作業者が別の場所に移動して異なる工事部位の撮影を行うことで得られた画像が、サーバ３に保管されることを防止することが出来る。
【００４２】
また、携帯型撮影機器６は、携帯型リーダ機器７及び携帯型情報記録媒体４の所持者に同行する同行者によって所持されてもよい。この場合においても、工事部位ＩＤ１４の読み込みから携帯型撮影機器６が画像を撮影するまでの時間が制限されていることで、同行者が、工事部位ＩＤ１４の読み取り後に別の場所に移動して異なる工事部位を撮影した画像がサーバ３に保管されることを防止することが出来る。
【００４３】
また本実施形態では、図７に示す処理の代わりに図９に示す処理が実行されてもよい。
【００４４】
図９に示す処理では、図７のステップＳ１０１〜Ｓ１０４に対応するステップＳ２０１〜Ｓ２０４の処理が行われた後、Ｓ２０２の実行時と同様、作業者が携帯型リーダ機器７への入力作業を行うことで、携帯型リーダ機器７は、設置型情報記録媒体５に記憶された工事部位ＩＤ１４を読み込む（Ｓ２０５）。
【００４５】
そして携帯型リーダ機器７は、ステップＳ２０２で読み込まれた工事部位ＩＤ１４と、ステップＳ２０５で読み込まれた工事部位ＩＤ１４とが一致するか否かを判定する（Ｓ２０６）。
【００４６】
ここでＳ２０６において、Ｓ２０２，Ｓ２０５で読み込まれた工事部位ＩＤ１４が一致する場合には、Ｓ２０２，Ｓ２０５のＩＤ読み込み処理が、Ｓ２０３の撮影処理の前後で行われていることから、作業者は、工事部位ＩＤ１４の読み込みと、工事部位の撮影とを同じ場所で行ったものと認められる。このため、Ｓ２０６で工事部位ＩＤ１４が一致する場合には、携帯型撮影機器６によって撮影された画像は、携帯型リーダ機器７によって読み取られた工事部位ＩＤ１４が特定する工事部位を撮影したものであることが保証される。このことから、ステップＳ２０６で工事部位ＩＤ１４が一致するか否かを判定することは、携帯型撮影機器６によって撮影された画像が、携帯型リーダ機器７によって読み取られた工事部位ＩＤ１４が特定する工事部位を撮影したものであるか否かを判定していることになる。
【００４７】
そしてＳ２０６で工事部位ＩＤ１４が一致しないと判定した場合（Ｓ２０６でＮＯ）、すなわち携帯型撮影機器６によって撮影された画像は、携帯型リーダ機器７によって読み取られた工事部位ＩＤ１４が特定する工事部位を撮影したものでない場合、携帯型リーダ機器７は、表示面１１（図４、５参照）にサーバ３に画像を送信することが出来ない旨のエラーメッセージを表示する（Ｓ２０７）。
【００４８】
一方、Ｓ２０６で工事部位ＩＤが一致すると判定した場合（Ｓ２０６でＹＥＳ）、すなわち携帯型撮影機器６によって撮影された画像は、携帯型リーダ機器７によって読み取られた工事部位ＩＤ１４が特定する工事部位を撮影したものである場合、携帯型リーダ機器７は、作業者ＩＤ１２と、Ｓ２０２，Ｓ２０５で読み込まれた工事部位ＩＤ１４と、携帯型撮影機器６から受信した画像とを、無線通信を介してサーバ３に送信する（Ｓ２０８）。そして、この後、図７のＳ１０８〜Ｓ１１０に対応するＳ２０９〜Ｓ２１１までの処理が実行される。
【００４９】
この処理によれば、Ｓ２０２，Ｓ２０５で読み込まれた工事部位ＩＤ１４が一致するか判定することで、撮影画像が、工事部位ＩＤ１４が特定する工事部位を撮影したものであるか否かを判定し、作業者が工事部位の撮影と工事部位ＩＤ１４の読み込みとを別の場所で行うことで、撮影画像が、工事部位ＩＤ１４が特定する工事部位を撮影したものでない場合には、撮影画像と工事部位ＩＤ１４とは、サーバ３に送信されない。このため、サーバ３に保管される画像は、サーバ３が受信した工事部位ＩＤ１４が特定する工事部位が撮影されたものとなる。これにより、刻印情報に誤りがある画像がサーバ３に保管されることが防止される。
【００５０】
また、携帯型撮影機器６と携帯型リーダ機器７との代わりに、携帯型撮影機器６と携帯型リーダ機器７とを一体化した携帯機器（携帯型撮影機器６及び携帯型リーダ機器７の機能を有する携帯機器）が用いられてもよい。このようにすることで、作業者が所持する機器の数を少なくすることが出来る。前記一体化された携帯機器としては、ＩＣタグリーダ/ライタおよびカメラ付き携帯電話、ＩＣタグリーダ/ライタおよびカメラ付きＰＤＡ、ＩＣタグリーダ/ライタおよびカメラ付きＰＣ、ＩＣタグリーダ/ライタ付きカメラが使用され得て、作業者は、携帯機器への入力操作を行うことで、携帯機器に、工事部位の撮影や、作業者ＩＤ１２・工事部位ＩＤ１４の読み込みを行わせることが出来る。
【００５１】
図１０は、携帯型撮影機器６と携帯型リーダ機器７とが一体化された携帯機器を用いる場合における画像記録システムの処理を示している。
【００５２】
図１０に示す処理は、図７に示す処理に対応するものであって、前記一体化された携帯機器は、作業者の入力操作により、作業者ＩＤ１２の読み込み（Ｓ３０１）、工事部位ＩＤ１４の読み込み（Ｓ３０２）、工事部位の撮影（Ｓ３０３）を行った後、工事部位ＩＤ１４を読み込んだ時刻Ｔ１（Ｓ３０２の実行時刻）から画像を撮影した時刻Ｔ２（Ｓ３０３の実行時刻）までの経過時間が基準時間以内であるか否かを判定する（Ｓ３０４）。
【００５３】
そしてＳ３０４で前記経過時間が基準時間以内ではないと判定した場合には（Ｓ３０４でＮＯ）、携帯機器は、該携帯機器の表示面にサーバに画像を送信することが出来ない旨のエラーメッセージを表示する（Ｓ３０５）。
【００５４】
一方、Ｓ３０４で前記経過時間が基準時間以内であると判定した場合には（Ｓ３０４でＹＥＳ）、携帯機器は、Ｓ３０１で読み取った作業者ＩＤ１２と、Ｓ３０２で読み取った工事部位ＩＤ１４と、Ｓ３０３で撮影した画像とを、無線通信を介してサーバ３に送信する（Ｓ３０６）。そして、この後、図７に示すステップＳ１０８〜Ｓ１１０に対応するステップＳ３０７〜Ｓ３０９までの処理がサーバにおいて実行される。
【００５５】
なお上述のように携帯型撮影機器６と携帯型リーダ機器７とが一体化された携帯機器を用いる場合には、図１０に示す処理の代わりに図１１に示す処理が実行されてもよい。
図１１に示す処理は、図９に示す処理に対応するものであって、携帯機器は、作業者ＩＤ１２の読み込み（Ｓ４０１）、工事部位ＩＤ１４の読み込み（Ｓ４０２）、工事部位の撮影（Ｓ４０３）を行った後、Ｓ４０２の実行時と同様、作業者が携帯機器への入力操作を行うことによって、設置型情報記録媒体５に記憶された工事部位ＩＤ１４を読み込む（Ｓ４０４）。
【００５６】
そして、携帯機器は、Ｓ４０２で読み込まれた工事部位ＩＤ１４と、ステップＳ４０４で読み込んだ工事部位ＩＤ１４とが一致するか否かを判定する（Ｓ４０５）。
【００５７】
工事部位ＩＤ１４が一致しないと判定した場合（Ｓ４０５でＮＯ）、携帯機器は、該携帯機器の表示面にサーバ３に画像を送信することが出来ない旨のエラーメッセージを表示する（Ｓ４０６）。
【００５８】
一方、Ｓ４０５で工事部位ＩＤ１４が一致すると判定した場合には（Ｓ４０５でＹＥＳ）、携帯機器は、Ｓ４０１で読み取った作業者ＩＤ１２と、Ｓ４０２，Ｓ４０４で読み取った工事部位ＩＤ１４と、Ｓ４０３で撮影した画像とを、無線通信を介してサーバ３に送信する（Ｓ４０７）。そして、この後、図９に示すステップＳ２０９〜Ｓ２１１に対応するステップＳ４０８〜Ｓ４１０までの処理がサーバにおいて実行される。
【００５９】
＜実施の形態２＞
次に実施の形態２について説明する。なお、以下では、実施の形態１との相違点を中心に説明を行う。図１２は、実施の形態２における画像記録システム２０の全体構成を示す図である。
【００６０】
画像記録システム２０は、携帯機器２１と、携帯型情報記録媒体２２と、設置型情報記録媒体２３とを含んでいる。携帯機器２１と携帯型情報記録媒体２２とは工事現場で作業を行う作業者によって所持され、設置型情報記録媒体２３は工事現場における工事部位毎に設けられて、それぞれ対応する工事部位に固定されている。携帯機器２１は、別体である携帯型撮影機器２４と携帯型リーダ機器２５とから構成されている。
【００６１】
携帯型リーダ機器２５には、各種情報を記憶可能な記憶部が設けられており、記憶部には、図６に示すテーブル９が予め記憶されている。
【００６２】
携帯型情報記録媒体２２及び携帯型撮影機器２４は、実施の形態１と同様の構成を有している。このため、説明を省略する。
【００６３】
次に、本実施形態の画像記録システム２０における処理の流れを図１３を用いて説明する。なおＳ５０１〜Ｓ５０５に至る処理は、図７に示すＳ１０１〜Ｓ１０５に至る処理と同様である。このため、Ｓ５０１〜Ｓ５０５に至る処理については説明を省略し、以下では、Ｓ５０５以降の処理について説明する。
【００６４】
Ｓ５０５で工事部位ＩＤ１４の読み込みから画像撮影までの経過時間が基準時間以内ではないと判定した場合には（Ｓ５０５でＮＯ）、携帯型リーダ機器２５は、該携帯型リーダ機器２５の記憶部に画像を記憶することが出来ない旨のエラーメッセージを表示する（Ｓ５０６）。
【００６５】
一方、携帯型リーダ機器２５は、前記経過時間が基準時間以内であると判定した場合（Ｓ５０５でＹＥＳ）、記憶部のテーブル９に書き込まれている作業者ＩＤ１２と工事部位ＩＤ１４のうち、Ｓ５０１で読み取った作業者ＩＤ１２、Ｓ５０２で読み取った工事部位ＩＤ１４に一致するＩＤを検索する（Ｓ５０７）。
【００６６】
次に、携帯型リーダ機器２５は、Ｓ５０７で検索した作業者ＩＤ１２と工事部位ＩＤ１４とにテーブル９で関連付けられた作業内容１３を、Ｓ５０４で携帯型撮影機器２４から受信した画像に刻印する（Ｓ５０８）。この結果、図８に示した画像と同様、作業内容１３が刻印された画像が携帯型リーダ機器２５で得られる。
【００６７】
次に、携帯型リーダ機器２５は、作業内容１３が刻印された画像を記憶部における所定の領域に記憶する（Ｓ５０９）。これにより図１３に示す処理は終了する。
【００６８】
図１３に示す処理は、図７に示す処理と同様、携帯型リーダ機器２５による工事部位ＩＤ１４の読み込み後から携帯型撮影機器２４による画像の撮影までの経過時間が基準時間を超えているか否かを判定することで、撮影画像が、工事部位ＩＤ１４が特定する工事部位を撮影したものであるか否かを判定するものであり、前記経過時間が基準時間を超えていることから、撮影画像が、工事部位ＩＤ１４が特定する工事部位を撮影したものでない場合には、携帯型撮影機器２４の撮影画像は携帯型リーダ機器２５に保管されない。この結果、携帯型リーダ機器２５に保管される画像は、携帯型リーダ機器２５によって読み込まれた工事部位ＩＤ１４が特定する工事部位が撮影されたものとなる。そして、携帯型リーダ機器２５に保管される画像には、携帯型リーダ機器２５が読み取った工事部位ＩＤ１４とテーブル９において関連付けられた作業内容が刻印されることから、刻印情報に誤りがある画像が携帯型リーダ機器２５に保管されることが防止される。
【００６９】
また、携帯型撮影機器２４の撮影画像を保管する装置として携帯型リーダ機器２５を使用していることから、画像保管用の装置として、図１のサーバ３のように事務所等に配置されて工事現場における機器と通信を行う装置を必要としない。このため本実施形態の画像記録システム２０は、事務所との通信が困難な工事現場で撮影した写真を管理する場合に適用出来る。
【００７０】
また本実施形態では、図１３に示す処理に代えて図１４に示す処理が実行されてもよい。
図１４に示す処理では、図１３のステップＳ５０１〜Ｓ５０４に対応するステップＳ６０１〜Ｓ６０４の処理が行われた後、作業者が携帯型リーダ機器２５への入力作業を行うことで、携帯型リーダ機器２５は、設置型情報記録媒体５に記憶された工事部位ＩＤ１４を読み込む（Ｓ６０５）。
【００７１】
そして、携帯型リーダ機器２５は、Ｓ６０２で読み込まれた工事部位ＩＤ１４と、ステップＳ６０５で読み込まれた工事部位ＩＤ１４とが一致するか否かを判定する（Ｓ６０６）。
【００７２】
これらの工事部位ＩＤ１４が一致しないと判定した場合（Ｓ６０６でＮＯ）、携帯型リーダ機器２５は、該携帯型リーダ機器２５の記憶部に画像を記憶することが出来ない旨のエラーメッセージを表示する（Ｓ６０７）。
【００７３】
一方、Ｓ６０６で工事部位ＩＤ１４が一致すると判定した場合には（Ｓ６０６でＹＥＳ）、携帯型リーダ機器２５は、記憶部のテーブル９に書き込まれている作業者ＩＤ１２と工事部位ＩＤ１４のうち、Ｓ６０１で読み取った作業者ＩＤ１２、Ｓ６０２，Ｓ６０５で読み取った工事部位ＩＤ１４に一致するＩＤを検索する（Ｓ６０８）。そして、この後、図１３のステップＳ５０８〜Ｓ５０９に対応するステップＳ６０９〜Ｓ６１０の処理が実行される。
【００７４】
図１３に示す処理は、図９に示す処理と同様、携帯型撮影機器２４による撮影の前後で、携帯型リーダ機器２５によって読み込まれた工事部位ＩＤ１４が一致するか否か判定することで、撮影画像が、工事部位ＩＤ１４が特定する工事部位を撮影したものであるか否かを判定するものであり、作業者が撮影と工事部位ＩＤ１４の読み込みとを別の場所で行うことで、撮影画像が、工事部位ＩＤ１４が特定する工事部位を撮影したものでない場合には、撮影画像は、携帯型リーダ機器２５に保管されない。この結果、携帯型リーダ機器２５に保管される画像は、携帯型リーダ機器２５によって読み込まれた工事部位ＩＤ１４が特定する工事部位が撮影されたものとなる。これにより、刻印情報に誤りがある画像が携帯型リーダ機器２５に保管されることが防止される。
【００７５】
なお本実施形態では、携帯型撮影機器２４と携帯型リーダ機器２５との代わりに、携帯型撮影機器２４と携帯型リーダ機器２５とを一体化した携帯機器が用いられてもよい。この一体化された携帯機器としては、ＩＣタグリーダ/ライタおよびカメラ付き携帯電話、 ＩＣタグリーダ/ライタおよびカメラ付きＰＤＡ、ＩＣタグリーダ/ライタおよびカメラ付きＰＣ、ＩＣタグリーダ/ライタ付きカメラが使用される。
【００７６】
図１５は、携帯型撮影機器２４と携帯型リーダ機器２５とが一体化された携帯機器を用いる場合における画像記録システムの処理を示している。以下、図１５に示す処理を説明する。なお前記一体化された携帯機器には、上述の携帯型リーダ機器２５と同様、各種情報を記憶可能な記憶部が設けられており、記憶部には、図６に示すテーブル９が予め記憶されている。
【００７７】
図１５に示す処理は、図１３に示す処理に対応するものであって、前記一体化された携帯機器は、作業者の入力操作により、作業者ＩＤ１２の読み込み（Ｓ７０１）、工事部位ＩＤ１４の読み込み（Ｓ７０２）、工事部位の画像の撮影（Ｓ７０３）を行った後、工事部位ＩＤ１４を読み込んだ時刻Ｔ１（Ｓ７０２の実行時刻）から工事部位の画像を撮影した時刻Ｔ２（Ｓ７０３の実行時刻）までの経過時間が基準時間以内であるか否かを判定する（Ｓ７０４）。
【００７８】
そしてＳ７０４で前記経過時間が基準時間以内ではないと判定した場合には（Ｓ７０４でＮＯ）、携帯機器は、該携帯機器の記憶部に画像を記憶することが出来ない旨のエラーメッセージを表示する（Ｓ７０５）。
【００７９】
一方、Ｓ７０４で前記経過時間が基準時間以内であると判定した場合には（Ｓ７０４でＹＥＳ）、携帯機器は、記憶部のテーブル９に書き込まれている作業者ＩＤ１２と工事部位ＩＤ１４のうち、Ｓ７０１で読み取った作業者ＩＤ１２、及びＳ７０２で読み取った工事部位ＩＤ１４に一致するＩＤを検索する（Ｓ７０６）。
【００８０】
次に、携帯機器は、Ｓ７０６で検索した作業者ＩＤ１２と工事部位ＩＤ１４とにテーブル９で関連付けられた作業内容１３を、Ｓ７０３で撮影した画像に刻印する（Ｓ７０７）。
【００８１】
次に、携帯機器は、作業内容１３が刻印された画像を記憶部における所定の領域に記憶する（Ｓ７０８）。これにより、図１５に示す処理は終了する。
【００８２】
なお上述のように携帯型撮影機器２４と携帯型リーダ機器２５とを一体化した携帯機器を用いる場合には、図１５に示す処理の代わりに図１６に示す処理が実行されてもよい。
【００８３】
図１６に示す処理は、図１４に示す処理に対応するものであって、携帯機器は、作業者ＩＤ１２の読み込み（Ｓ８０１）、工事部位ＩＤ１４の読み込み（Ｓ８０２）、工事部位の撮影（Ｓ８０３）を行った後、Ｓ８０２の実行時と同様、作業者が携帯機器への入力操作を行うことによって、設置型情報記録媒体５に記憶された工事部位ＩＤ１４を読み込む（Ｓ８０４）。
【００８４】
そして、携帯機器は、Ｓ８０２で読み込まれた工事部位ＩＤ１４と、ステップＳ８０４で読み込んだ工事部位ＩＤ１４とが一致するか否かを判定する（Ｓ８０５）。
【００８５】
工事部位ＩＤ１４が一致しないと判定した場合（Ｓ８０５でＮＯ）、携帯機器は、該携帯機器の記憶部に画像を記憶することが出来ない旨のエラーメッセージを表示する（Ｓ８０６）。
【００８６】
一方、Ｓ８０５で工事部位ＩＤ１４が一致すると判定した場合には（Ｓ８０５でＹＥＳ）、
携帯機器は、記憶部のテーブル９に書き込まれている作業者ＩＤ１２と工事部位ＩＤ１４のうち、Ｓ８０１で読み取った作業者ＩＤ１２、及びＳ４０２で読み取った工事部位ＩＤ１４に一致するＩＤを検索する（Ｓ８０６）。そして、この後、図１５のステップＳ７０７〜７０８に対応するステップＳ８０８〜８０９の処理が携帯機器において実行される。
【図面の簡単な説明】
【００８７】
【図１】実施の形態１における画像記録システムの全体構成を示す図である。
【図２】建造物の基礎部分に固定された設置型情報記録媒体を示す写真である。
【図３】携帯型撮影機器が建設物の基礎部分を撮影している状態を示す写真である。
【図４】携帯型リーダ機器が携帯型情報記録媒体からデータを読み込んでいる状態を示す写真である。
【図５】携帯型リーダ機器が設置型情報記録媒体からデータを読み込んでいる状態を示す写真である。
【図６】サーバに記憶されたテーブルを示す図である。
【図７】実施の形態１の画像記録システムにおける処理の流れを示すフローチャートである。
【図８】作業内容が刻印された画像を示す図である。
【図９】実施の形態１の画像記録システムにおける他の処理の流れを示すフローチャートである。
【図１０】実施の形態１において携帯型撮影機器と携帯型リーダ機器とが一体化された携帯機器を用いる場合における処理の流れを示すフローチャートである。
【図１１】実施の形態１において携帯型撮影機器と携帯型リーダ機器とが一体化された携帯機器を用いる場合における他の処理の流れを示すフローチャートである。
【図１２】実施の形態２における画像記録システムの全体構成を示す図である。
【図１３】実施の形態２の画像記録システムにおける処理の流れを示すフローチャートである。
【図１４】実施の形態２の画像記録システムにおける他の処理の流れを示すフローチャートである。
【図１５】実施の形態２において携帯型撮影機器と携帯型リーダ機器とが一体化された携帯機器を用いる場合における処理の流れを示すフローチャートである。
【図１６】実施の形態２において携帯型撮影機器と携帯型リーダ機器とが一体化された携帯機器を用いる場合における他の処理の流れを示すフローチャートである。
【符号の説明】
【００８８】
１、２０    画像記録システム
２、２１    携帯機器
３    サーバ
４、２２    携帯型情報記録媒体
５、２３    設置型情報記録媒体、
６、２４    携帯型撮影機器
７、２５    携帯型リーダ機器
９    テーブル
１２    作業者ＩＤ（作業者を特定する情報）
１３    作業内容（作業内容を示す情報、撮影対象物に関する情報）
１４    工事部位ＩＤ（工事部位を特定する情報、撮影対象物を特定する情報）
１８    画像
【図６】
2010053573.tif 000003
【図７】
2010053573.tif 000004
【図９】
2010053573.tif 000005
【図１０】
2010053573.tif 000006
【図１１】
2010053573.tif 000007
【図１３】
2010053573.tif 000008
【図１４】
2010053573.tif 000009
【図１５】
2010053573.tif 000010
【図１６】
2010053573.tif 000011
【図１】
2010053573.tif 000012
【図２】
2010053573.tif 000013
【図３】
2010053573.tif 000014
【図４】
2010053573.tif 000015
【図５】
2010053573.tif 000016
【図８】
2010053573.tif 000017
【図１２】
2010053573.tif 000018